(57)【要約】      （修正有）【課題】蛍光灯とほぼ同一形状でほぼ同一の光度を有し、かつ蛍光灯のようなグローランプのような補助器具を必要とせず、直接コンセントに接続し簡単に設置しうる取扱の簡単なＬＥＤ照明器具を提供する。【解決手段】蛍光灯とはぼ同一の直径と長さを有する蒲鉾型又は円筒型の透明な合成樹脂管２と、その内部に挿入しうる合成樹脂板の裏側にプリント配線をし表側に３列に多数のＬＥＤ電球７を取付けた発光板４と、その発光板の下方又は別途に設けられた合成樹脂板の裏側にプリント配線をし表側に家庭用電源から前述のＬＥＤ電球を発光させるに必要な電流に変換する部品を取付けた配電板５と、コンセントから配電板まで家庭用電流を供給するプラグ９とコードとからなる。この照明器具はガラスを使用した蛍光灯より軽く破損し難く消費電力が少ないだけでなく、容易に蛍光灯に代替し、又は、直接天井や壁に取付けられる。【選択図】図１
0003168582.tif 000002
【実用新案登録請求の範囲】
【請求項１】
蛍光灯とはぼ同一の直径と長さを有する蒲鉾型又は円筒型の透明な合成樹脂管と、その内部に挿入しうる合成樹脂板の裏側にプリント配線をし表側に３列に多数のＬＥＤ電球を取付けた発光板と、その発光板の下方又は別途に設けられた合成樹脂板の裏側にプリント配線をし表側に家庭用電源から前述のＬＥＤ電球を発光させるに必要な電流に変換する部品を取付けた配電板と、コンセントから配電板まで家庭用電流を供給するプラグとコードとからなることを特徴とするＬＥＤ照明器具
【考案の詳細な説明】
【技術分野】
【０００１】
本考案は、従来の蛍光灯に容易に代替することができ、消費電力が少ないというＬＥＤ電球の特色を活かした取り扱いの簡単なＬＥＤ照明器具に関するものである。
【背景技術】
【０００２】
現在、蛍光灯は事務所や商店や家庭で多用されている。一方、ＬＥＤは消費電力が少なく張寿命であるが、照明としては光度が光度が低く表示板や信号機に使われているに過ぎない。このＬＥＤを簡単に照明に利用することは極めて有用である。
【特許文献１】特開２００５−１９２９９
【考案の開示】
【考案が解決しようとする課題】
【０００３】
本考案が解決しようとする課題は、従来の蛍光灯とほぼ同一形状で、ほぼ同一の光度を有し、かつ、蛍光灯のようなグローランプのような補助器具を必要とせず、直接コンセントに接続し簡単に設置しうる取扱の簡単なＬＥＤ照明器具を提供することにある。
【課題を解決するための手段】
【０００４】
本考案者は、前述の課題を解決するため、従来の蛍光灯とはぼ同一の直径と長さを有する蒲鉾型又は円筒型の透明な合成樹脂管と、その内部に挿入しうる合成樹脂板の裏側にプリント配線をし表側に３列に多数のＬＥＤ電球を取付けた発光板と、その発光板の下方又は別途に設けられた合成樹脂板の裏側にプリント配線をし表側に家庭用電源から前述のＬＥＤ電球を発光させるに必要な電流に変換する部品を取付けた配電板と、コンセントから配電板まで家庭用電流を供給するプラグとコードとからなることを特徴とするＬＥＤ照明器具を提供する
【考案の効果】
【０００５】
本考案に係わるＬＥＤ照明器具は、従来の蛍光灯と同一の直径の円筒型又は蒲鉾型の管の中に挿入できる帯状のプリント配線をした合成樹脂板に家庭用電源からＬＥＤ電球を発光させるに必要な電流に変換する部品を取付けているので、家庭のコンセントから直接電源をとることができので、グローランプを必要とした従来の蛍光灯より取り扱いが容易である。また、消費電力が少ないというＬＥＤ電球の特徴だけではなく、ガラス管を使用している従来の蛍光灯と比べて極めて軽く、割れ難く安全であり、種々のデザインの蛍光灯カバー等の照明補助器具を必要とせず、特に蒲鉾型のものは、底の平面部を両面接着テープ等で直接天井や壁面やガラス窓に接着することができるという利点を有する。
【考案を実施するための最良の形態】
【０００６】
本考案を実施するための最良の形態を実施例１及び図１ないし図５に示す。
【実施例１】
【０００７】
図１は、本考案に係わる一つの実施例の斜視図であり、図２は発光板の表面図であり、図３は発光板と配電板の側面図であり、図４は発光板の裏面図であり、図５は配電板の表面図である。なお、図１では個々の電気部品は省略してあり、図３では個々の電気部品名は省略してあり、図５では透けて見える裏側のプリント配線とは省略してある。これらの図において、１はＬＥＤ照明器具、２は透明合成樹脂管、３は内枠、４は発光板、５は配電板、６は嵌合部、７はＬＥＤ電球、８は導電ピン、９はプラグ、１０は交流電線、１１はプリント配線、１２はＬＥＤ電球のピン、１３はＬＥＤ電球のピンの溶接部、１４はフューズ、１５は大電圧保護装置、１６は磁気シールド大電力コイル、１７は電圧調整装置、１８はダイオード、１９は多層セラミックコンデンサー、２０はセラミックチップコンデンサー、２１は高速スイッチ、２２は抵抗、２３は定電流化装置、２４はＬＥＤドライバー、２５は電流調整装置である。
【０００８】
透明樹脂管については、本実施例では蒲鉾型をしているが円筒型でもよい。円筒型の場合は、蛍光灯を内蔵していた蛍光灯カバー等の照明補助器具内に、蛍光灯に代えて装着することができる。更に、蒲鉾型でも発光板の表面側を平面にした場合には窓ガラスに接着してガラス面の外側を照明することができ、外部への照明や広告、湯気の出る浴室内を外部から照明するのに便利である。ＬＥＤ電球については、本実施例では、発光板に直径５ミリのＬＥＤ電球を３列５８段を１セットとして２セットを使用しており、ＬＥＤ電球の総数は３４８個になる。発光板の裏側のプリント配線については、本実施例については、図４のような構造になっており、非常に簡潔化されている。配電板については、本実施例では概略図５に示したようになっているが、必ずしもこれに限定されない。本実施では消費電力１５Ｗで６０ルックス程度の明るさになり同じ大きさの蛍光灯に匹敵する。
【産業上の利用可能性】
【０００９】
本考案に係わるＬＥＤ照明器具は、前述のような構造と効果を有するので、従来の蛍光灯に置き換えて利用できるだけでなく、補助的な装着器具を使用することなく、直接天井や壁や窓に接着できるので、家庭や事務所等で広く利用できる。また、新たな照明器具産業の起業にも役立つ。
【図面の簡単な説明】
【００１０】
【図１】実施例１の説明用斜視図である。
【図２】実施例１の発光板の表面図である。
【図３】実施例１の発光板と配電板との側面図である。
【図４】実施例１の発光板の裏面図である。
【図５】実施例１の配電板の表面図である。
【符号の説明】
【００１１】
１  ＬＥＤ照明器具
２  透明合成樹脂管
３  内枠
４  発光板
５  配電板
６  嵌合部
７  ＬＥＤ電球
８  導電ピン
９  プラグ
１０  交流電線
１１  プリント配線
１２  ＬＥＤ電球のピン
１３  ＬＥＤ電球のピンの溶接部
１４  フューズ
１５  大電圧保護装置
１６  磁気シールド大電力コイル
１７  電圧調整装置
１８  ダイオード
１９  多層セラミックコンデンサー
２０  セラミックチップコンデンサー
２１  高速スイッチ
２２  抵抗
２３  定電流化装置
２４  ＬＥＤドライバー
２５  電流調整装置
【図１】
0003168582.tif 000003
【図２】
0003168582.tif 000004
【図３】
0003168582.tif 000005
【図４】
0003168582.tif 000006
【図５】
0003168582.tif 000007